(57)【特許請求の範囲】
【請求項１】
外線Ａおよび内線電話機間に接続され、前記外線Ａからの着信を前記内線電話に接続する通信網制御部と、前記外線Ａおよび前記内線電話機に接続された制御部と、該制御部に接続され前記内線電話のユーザが不在か否かを記憶する不在情報記憶部と、前記制御部に接続され前記内線電話機への着信を転送する転送先情報を記憶する転送先情報記憶部とを含むボタン電話装置の転送装置において、
前記制御部および外線Ｂに接続されたＰＢ受信部を備え、前記外線Ｂを介して送られる転送先情報を前記制御部を介して前記転送先情報記憶部へ送り、前記転送先情報記憶部の転送先情報を変更し、前記内線電話機への着信を前記制御部により前記転送先情報記憶部に記憶された最新の転送先の電話番号をダイヤリングして前記外線Ｂを介して転送することを特徴とするボタン電話装置の転送装置。
【請求項２】
外線Ａおよび内線電話機間に接続され前記外線Ａからの着信を前記内線電話機に接続する通信網制御部と、前記外線Ａおよび前記内線電話機に接続された制御部と、該制御部に接続され転送先情報を記憶する記憶部とを含むボタン電話装置の転送装置において、
前記制御部および外線Ｂに接続されたＰＢ受信部と、前記制御部に接続され配送される音声メールを記憶する音声蓄積装置とを備え、前記内線電話機のユーザが前記外線Ｂを介して前記ＰＢ受信部へ送信するＰＢ信号により前記記憶部に記憶される配送先情報を変更し、前記制御部は前記記憶部に記憶された最新の配送先情報に基づいてダイヤリングして前記音声蓄積装置に記憶された音声メールを前記外線Ｂを介して配送することを特徴とするボタン電話装置の転送装置。
【発明の詳細な説明】
【０００１】
【産業上の利用分野】
本発明はボタン電話装置の転送装置に関し、特に外線からの転送先の設定を可能とするボタン電話装置の転送装置に関する。
【０００２】
【従来の技術】
従来のボタン電話装置では、主装置に接続されている内線電話機への着信があったときの転送を希望する転送先情報が主装置内の記憶部に記憶されており、例えば、当該内線電話機での呼び出しを受ける人が不在時には、外出先の電話番号を予め上記記憶部に記憶しておくことにより、自動的に外出先への転送を行わせている。
【０００３】
図３には、従来のこの種のボタン電話機の転送装置の構成図が示されている。外線Ａが接続されている主装置１の通話網制御部１１には、複数台（本例では１台）の内線電話機２が接続されるとともに、転送先用の外線Ｂが接続されている。主装置１には、当該ボタン電話装置全体を制御する制御部１５と、不在転送情報が設定、記憶される記憶部１３と、外出先等の転送先の電話番号が設定、記憶されている記憶部１４とが設置されている。
【０００４】
外出時には、内線電話機２の操作により記憶部１３への不在転送情報の設定及び記憶部１４への転送先である事務所Ｊの電話番号の設定が、通話網制御部１１、制御部１５を介して行なわれる。外線Ａを介して当該内線電話機２への着信があると、主装置１の制御部１５は、記憶部１３と１４の記憶内容を参照して通話網制御部１１を切り換え制御し、外線Ｂを介して転送先の事務所Ｊの電話番号をダイヤルすることにより、外線Ａと外線Ｂを接続して、発呼者と転送先の被呼者との通話を可能とする。
【０００５】
【発明が解決しようとする課題】
以上のように、従来のボタン電話装置は、内線電話機の操作を介して不在転送情報及び転送先情報を主装置内の記憶部に設定し、内線電話機への着信時に記憶部の記憶内容を参照して転送先の電話番号をダイヤリングする構成を採用している。
【０００６】
しかしながら、かかるボタン電話装置では、内線電話機の操作を介してのみ転送先情報の設定を行うことができ、他の手段では転送先情報の設定を行うことができない。したがって、被呼者が外出先から他の外出先に移動したときには、内線電話機が操作できず、当該他の外出先への転送が不可能となるという問題がある。
【０００７】
上述の問題は、外線Ａを介しての着信の転送だけでなく、音声メールの配送時における外線やポケットベルの呼び出し時にも同様に生じる。つまり、従来は、主装置に接続されている音声蓄積装置に音声メールの配送があったときには、内線電話機の操作により着信通知を設定した通知先にのみ配送が可能であるが、着信通知先が更に変わったときには対応できないという問題がある。
【０００８】
そこで、本発明の目的は、外線からの転送先情報の設定を可能とし、外出先から他の外出先への移動時にも、迅速且つ適切な転送を可能とするボタン電話装置の転送装置を提供することにある。
【０００９】
本発明の他の目的は、音声蓄積装置による音声メールの配送先の変更を外線からも行なえるようにしたボタン電話装置の転送装置を提供することにある。
【００１０】
【課題を解決するための手段】
前述の課題を解決するために本発明のボタン電話装置の転送装置は、外線Ａおよび内線電話機間に接続され、前記外線Ａからの着信を前記内線電話に接続する通信網制御部と、前記外線Ａおよび前記内線電話機に接続された制御部と、該制御部に接続され前記内線電話のユーザが不在か否かを記憶する不在情報記憶部と、前記制御部に接続され前記内線電話機への着信を転送する転送先情報を記憶する転送先情報記憶部とを含むボタン電話装置の転送装置において、
前記制御部および外線Ｂに接続されたＰＢ受信部を備え、前記外線Ｂを介して送られる転送先情報を前記制御部を介して前記転送先情報記憶部へ送り、前記転送先情報記憶部の転送先情報を変更し、前記内線電話機への着信を前記制御部により前記転送先情報記憶部に記憶された最新の転送先の電話番号をダイヤリングして前記外線Ｂを介して転送する。
【００１１】
また、本発明の他の態様によるボタン電話装置の転送装置は、
外線Ａおよび内線電話機間に接続され前記外線Ａからの着信を前記内線電話機に接続する通信網制御部と、前記外線Ａおよび前記内線電話機に接続された制御部と、該制御部に接続され転送先情報を記憶する記憶部とを含むボタン電話装置の転送装置において、
前記制御部および外線Ｂに接続されたＰＢ受信部と、前記制御部に接続され配送される音声メールを記憶する音声蓄積装置とを備え、前記内線電話機のユーザが前記外線Ｂを介して前記ＰＢ受信部へ送信するＰＢ信号により前記記憶部に記憶される配送先情報を変更し、前記制御部は前記記憶部に記憶された最新の配送先情報に基づいてダイヤリングして前記音声蓄積装置に記憶された音声メールを前記外線Ｂを介して配送する。
【００１２】
【作用】
本発明では、外線からＰＢ信号として受信した転送先電話番号情報を記憶装置に更新記憶し、着信時には、この更新記憶されている転送先電話番号をダイヤリングして内線電話機への不在時の着信時、最新の転送先電話番号への転送処理を行なっている。また、外線からＰＢ信号として受信した音声メールの配送先電話番号情報を記憶装置に更新記憶し、この更新記憶されている配送先電話番号をダイヤリングして音声メールを最新の配送先に配送している。
【００１３】
【実施例】
次に、本発明の実施例を図面を参照しながら説明する。
図１は本発明によるボタン電話装置の転送装置の一実施例を示す構成ブロック図である。
【００１４】
図１において、図３と同一符号が付されている構成要素は同様な機能を有する構成部を示す。本実施例は、ＰＢ受信部１２を設けている点に特徴があり、外線Ｂを介しての転送先についての情報（変更先と変更データ）がＰＢ信号としてＰＢ受信部１２に送出される。ＰＢ受信部１２は、この転送先についての情報を受信すると、制御部１５の制御を介して、記憶部１４をアクセスし、記憶部１４に記憶されている転送先の電話番号を変更する。
【００１５】
例えば、被呼者が内線電話機２の操作及び制御部１５の制御を介して記憶部１３に不在情報を記憶するとともに、記憶部１４に転送先情報として外出先の事務所Ｊの電話番号を記憶しておく。すると、外線Ａから内線電話機２への着信時には、制御部１５は記憶部１３と１４の記憶内容を参照して不在であることを確認し、外出先である事務所Ｊの電話番号をダイヤリングして被呼者を呼び出す。
【００１６】
次に、被呼者が事務所Ｊから他の外出先である工場Ｋに移動し、工場Ｋへの転送を希望する場合には、被呼者（または他のオペレータ）が外線Ｂを介して転送先情報としての工場Ｋの電話番号を主装置１のＰＢ受信部１２に送出する。ＰＢ受信部１２は、この工場Ｋの電話番号情報を転送先情報として受信すると、当該情報を制御部１５に送出する。制御部１５は、当該情報を記憶部１４に更新、記憶せしめ、新しい転送先電話番号が設定される。
【００１７】
したがって、外線Ａを介しての内線電話機対応の被呼者への着信があると、制御部１１は、記憶装置１３と１４の記憶内容を参照して、新しい転送先である工場Ｋの電話番号をダイヤリングして、工場Ｋに居る被呼者を呼び出すことができる。
【００１８】
図２には、本発明によるボタン電話装置の転送装置の他の実施例を示す構成図であり、音声メールの転送機能を有する装置の構成図である。図２において、図１と同一符号が付されている構成要素は同様な機能を有する構成要素を示している。
【００１９】
本実施例では、主装置１の制御部１５には音声メール情報が記憶される音声蓄積装置３が接続され、主装置１の記憶部１６には音声メール配送先通知番号が内線電話機２の操作により記憶される。ユーザが移動して音声メール通知先が変更される場合には、ユーザは外線Ｂを介して変更後の通知先電話番号を主装置１のＰＢ受信部１２に送出する。ＰＢ受信部１２は、この変更通知先電話番号を受信すると、制御部１５の制御を介して記憶部１６に記憶されている通知先電話番号を改訂して記憶せしめる。
【００２０】
したがって、外線Ａから内線電話機２に着信があると、制御部１５が記憶部１６の記憶内容を参照して新しい通知先の電話番号をダイヤリングして、音声蓄積装置３に記憶されている音声メール情報が通知される。本実施例によれば、音声メール通知先の変更を外線からきわめて簡単に行なうことができる。
【００２１】
【発明の効果】
以上説明したように、本発明によるボタン電話装置の転送装置によれば、外線からの転送先情報の設定が可能となり、外出先から他の外出先への移動時にも迅速且つ適切な転送が可能となる。また、音声蓄積装置による音声メールの配送先の変更を外線からも行なえる。
【図面の簡単な説明】
【図１】本発明によるボタン電話装置の転送装置の一実施例を示す概略構成ブロック図である。
【図２】本発明によるボタン電話装置の転送装置の他の実施例を示す概略構成ブロック図である。
【図３】従来のボタン電話装置の転送装置の概略構成ブロック図である。
【符号の説明】
１        主装置
２        内線電話機
３        音声蓄積装置
１１      通話網制御部
１２      ＰＢ受信部
１３，１４，１６    記憶部
１５      制御部
【図１】
0003753449.tif 000002
【図２】
0003753449.tif 000003
【図３】
0003753449.tif 000004